(57)【特許請求の範囲】
【請求項１】
複数の電子機器を搭載した複数のラックと、
各前記電子機器に設けられた発光素子と、
前記各電子機器を接続するネットワークと、
前記ネットワークを介し前記電子機器の異常通知を受け、前記異常通知した電子機器を搭載した１のラックのラック番号を持つＩＰアドレスを用いたブロードキャストコマンドを、前記ネットワークに送信し、前記１のラックに搭載された複数の前記電子機器の発光素子を同一表示形態に制御した後、前記異常通知した電子機器のアドレスを含む第２のコマンドを発行し、前記異常通知した電子機器の発光素子の表示形態を、前記１のラックにおいて前記異常通知した電子機器を他の前記電子機器と区別できるように、前記１のラック内の前記他の電子機器の発光素子の表示形態と異なるように制御する制御用電子機器とを有する
ことを特徴とする電子機器システム。
【請求項２】
前記制御用電子機器は、更に、前記異常通知した電子機器の前記発光素子が故障であることに応じて、前記１のラックの前記異常通知した電子機器以外の電子機器のアドレスを含む第３のコマンドを発行し、前記異常通知した電子機器以外の前記他の電子機器の発光素子の表示形態を、前記異常通知した電子機器と区別できるように、前記異常通知した電子機器の発光素子の表示形態と異なるように制御する
ことを特徴とする請求項１の電子機器システム。
【請求項３】
前記制御用電子機器は、前記電子機器と前記ネットワークを介し、異常／正常の確認通信を行い、前記制御用電子機器が異常であることに応じて、他の前記電子機器が、前記制御用電子機器の前記電子機器の異常時の前記発光素子の表示制御を代行する
ことを特徴とする請求項１の電子機器システム。
【請求項４】
前記電子機器の各々は、前記電子機器の状態に応じて前記発光素子の表示形態を制御するとともに、前記制御用電子機器から前記ネットワークを介し物理位置特定指示を受けたことに応じて、前記制御用電子機器のコマンドに従い、前記発光素子の表示形態を制御する
ことを特徴とする請求項１の電子機器システム。
【請求項５】
複数台のラックの各々に搭載された複数台の電子機器を接続したネットワークを介し、前記電子機器の異常通知を制御用電子機器が受けるステップと、
前記制御用電子機器が、前記異常通知した電子機器を搭載した１のラックのラック番号を持つＩＰアドレスを用いたブロードキャストコマンドを、前記ネットワークに送信し、前記１のラックに搭載された前記複数台の電子機器の発光素子を同一の表示形態に制御するステップと、
前記制御用電子機器が、前記異常通知した電子機器のアドレスを含む第２のコマンドを発行し、前記異常通知した電子機器の発光素子の表示形態を、前記異常通知した電子機器を前記１のラックに搭載された他の前記電子機器と区別できるように、前記他の電子機器の発光素子の表示形態と異なるように制御するステップとを有する
ことを特徴とする電子機器の物理位置特定処理方法。
【発明の詳細な説明】
【技術分野】
【０００１】
本発明は、ラックに多数台の電子装置を搭載した電子機器システムの故障した電子機器の設置場所を特定するための電子機器システム及び電子機器の特定処理方法に関し、特に、故障した電子機器を、それ以外の電子機器の状態表示用ランプを用いて、設置場所を特定するための電子機器システム及び電子機器の特定処理方法に関する。
【背景技術】
【０００２】
データ処理システムの処理能力の向上の要求から、データ処理システムが、大規模化の傾向にある。例えば、並列コンピュータシステムでは、千台程度のサーバ装置を並列に接続して、システムを構成する。同様に、大規模な記憶システムでも、数百台の磁気デイスク装置（ハードデイスク装置）を接続して、システムを構成する。更に、通信機器でも同様である。
【０００３】
このような電子機器を、まとめて設置するため、多数台の電子機器をラックに搭載することが行われている。このような電子機器において、故障等が生じた場合に、多数台の電子機器から、その電子機器を、操作員が、特定し、障害等の復旧や交換を行う必要がある。
【０００４】
図１５は、従来のラック搭載型電子機器の物理位置特定方法の説明図である。ここでは、電子機器として、サーバ装置を例に説明する。サーバ装置９０は、多数のラック１〜ｎに、多数台搭載されている。ここでは、１ラックに、６台のサーバ装置９０が搭載され、このラックが、ｎ（例えば、１００）個並んでいる。
【０００５】
各サーバ装置９０と、全サーバ装置９０を制御する制御サーバ装置９２との間は、制御ＬＡＮ（Local Area Network）９４で接続されている。制御サーバ装置９２は、各サーバ装置のＩＰ（Internet Protocol）アドレス、ホスト名、ラック番号、ラック内段数を、格納するサーバ位置情報テーブル９６を有する。このテーブル９６は、事前にシステム管理者が入力して、作成する。
【０００６】
そして、サーバ装置９０から制御ＬＡＮ９４を介し、異常通報が制御サーバ装置９２に通知されたときに、通知されたＩＰアドレスから、テーブル９６を参照して、異常通報したサーバ装置９０のラック番号、ラック内段数を表示する。このようにして、異常通報したサーバ装置９０の物理位置特定を行っていた。
【０００７】
これだけでは、実際のサーバ装置の物理（搭載）位置において、どのサーバ装置であるか、識別することは、困難である。
【０００８】
このため、サーバ装置に、装置番号シールを貼って管理する方法が、行なわれていた。又は、ラックに表示パネルを設け、制御サーバ装置９２から、表示パネルの表示ランプの表示状態を変化する方法も提案されている（例えば、特許文献１参照）。
【０００９】
更に、サーバ装置ではないが、プリンタ装置において、自己の状態表示用発光素子の表示形態を、異常時に、変化することにより、その装置の異常を通知する方法も提案されている（例えば、特許文献２参照）。
【特許文献１】特開２００４−１０３０５３号公報
【特許文献２】特開平５−１８８８７０号公報
【発明の開示】
【発明が解決しようとする課題】
【００１０】
従来のサーバ装置に、装置番号シールを貼って管理する方法では、装置の装置番号シールを貼る必要があり、大規模な千台近いシステム構成の場合には、シールを用意する手間や、そのシールを正確に、対応する電子機器に貼る手間は、多大なものを必要とする。
【００１１】
ラックに表示パネルを設ける方法では、ランプを点燈するための特別な設備が必要であるため、ユーザに追加負担が必要であった。
【００１２】
更に、装置の表示ランプを利用する方法では、電子機器が故障している場合や、その表示ランプも故障している場合には、表示形態を変化することができないという問題があった。
【００１３】
しかも、これらの電子的な制御方法では、制御サーバ装置に、事前にサーバ装置群の物理位置情報を入力する必要があり、大規模システムの手間が多大であった。
【００１４】
従って、本発明の目的は、電子機器の状態表示素子を利用して、多数のラックの異常通報した電子機器の物理位置を特定するための電子機器システム及び電子機器の物理位置特定処理方法を提供することにある。
【００１５】
又、本発明の他の目的は、電子機器の状態表示素子を利用して、且つ電子機器の状態表示素子が表示状態の変化ができない状態でも、異常通報した電子機器の物理位置を特定するための電子機器システム及び電子機器の物理位置特定処理方法を提供することにある。
【００１６】
又、本発明の他の目的は、特別なハードウェアを付加しなくても、異常通報した電子機器の物理位置を特定するための電子機器システム及び電子機器の物理位置特定処理方法を提供することにある。
【００１７】
更に、本発明の更に他の目的は、事前にサーバ装置群の物理位置情報を入力する必要なく、異常通報した電子機器の物理位置を特定するための電子機器システム及び電子機器の物理位置特定処理方法を提供することにある。
【課題を解決するための手段】
【００１８】
この目的の達成のため、本発明の電子機器システムは、複数の電子機器を搭載した複数のラックと、各前記電子機器に設けられた発光素子と、前記各電子機器を接続するネットワークと、前記ネットワークを介し前記電子機器の異常通知を受け、前記異常通知した電子機器を搭載した１のラックのラック番号を持つＩＰアドレスを用いたブロードキャストコマンドを、前記ネットワークに送信し、前記１のラックに搭載された複数の前記電子機器の発光素子を同一表示形態に制御した後、前記異常通知した電子機器のアドレスを含む第２のコマンドを発行し、前記異常通知した電子機器の発光素子の表示形態を、前記１のラックにおいて前記異常通知した電子機器を他の前記電子機器と区別できるように、前記１のラック内の前記他の電子機器の発光素子の表示形態と異なるように制御する制御用電子機器とを有する。
【００１９】
又、電子機器の物理位置特定処理方法は、複数台のラックの各々に搭載された複数台の電子機器を接続したネットワークを介し、前記電子機器の異常通知を制御用電子機器が受けるステップと、前記制御用電子機器が、前記異常通知した電子機器を搭載した１のラックのラック番号を持つＩＰアドレスを用いたブロードキャストコマンドを、前記ネットワークに送信し、前記１のラックに搭載された前記複数台の電子機器の発光素子を同一の表示形態に制御するステップと、前記制御用電子機器が、前記異常通知した電子機器のアドレスを含む第２のコマンドを発行し、前記異常通知した電子機器の発光素子の表示形態を、前記異常通知した電子機器を前記１のラックに搭載された他の前記電子機器と区別できるように、前記他の電子機器の発光素子の表示形態と異なるように制御するステップとを有する。
【００２０】
更に、本発明では、好ましくは、前記制御用電子機器は、更に、前記異常通知した電子機器の前記発光素子が故障であることに応じて、前記他の電子機器の発光素子を点灯する制御を行う。
【００２１】
更に、本発明では、好ましくは、前記制御用電子機器は、前記電子機器と前記ネットワークを介し、異常／正常の確認通信を行い、前記制御用電子機器が異常であることに応じて、他の前記電子機器が、前記制御用電子機器の前記電子機器の発光素子の表示制御を代行する。
【００２２】
更に、本発明では、好ましくは、前記制御用電子機器は、前記ラック番号を持つＩＰアドレスを用いたブロードキャストコマンドにより、前記異常通知した電子機器を搭載したラックの前記電子機器の発光素子を同一の表示形態に制御する。
【００２３】
更に、本発明では、好ましくは、前記電子機器の表面と裏面とに前記発光素子を設けた。
【００２４】
更に、本発明では、好ましくは、前記異常通知した電子機器を搭載したラックの前記電子機器の発光素子を同一の表示形態が、前記発光素子の点滅である。
【００２５】
更に、本発明では、好ましくは、前記電子機器は、前記電子機器の稼動状態に応じて、前記発光素子の点滅のリズムを変更する。
【００２６】
更に、本発明では、好ましくは、前記電子機器が、サーバ装置からなる。
【発明の効果】
【００２７】
異常通知した電子機器を搭載する１のラックの全電子機器の発光素子を同一表示形態に表示制御し、多数のラックから１のラック位置を特定し、且つ１のラックにおいて異常通報した電子機器の発光素子を他の電子機器の発光素子の表示形態と変更するため、異常通報した電子機器の物理位置を容易に特定できる。又、異常通知した電子機器を搭載した１のラックのラック番号を持つＩＰアドレスを用いたブロードキャストコマンドを、前記ネットワークに送信するので、アドレス生成を容易にし且つネットワークの負荷を少なくして、異常通知したラックを表示により認識できる。更に、異常通知した電子機器のアドレスを含む第２のコマンドを発行するので、アドレス生成を容易にし且つネットワークの負荷を少なくし、当該ラック内で異常通報した電子機器の発光素子を他の電子機器の発光素子の表示形態と変更できる。
【発明を実施するための最良の形態】
【００２８】
以下、本発明の実施の形態を、電子機器システム、ＬＥＤ表示処理、異常電子機器の物理位置特定処理、物理位置特定処理の代行処理、他の実施の形態の順で説明する。
【００２９】
（電子機器システム）
図１は、本発明の一実施の形態の電子機器システムの構成図、図２は、図１のサーバ装置の前面図、図３は、図１のサーバ装置の後面図、図４は、図１のサーボ装置の構成図、図５は、図４のシステム制御部の構成図である。図１は、電子機器として、サーバ装置を例に示す。
【００３０】
図１に示すように、サーバ装置１は、多数のラック１〜ｎ＋３に、多数台搭載されている。ここでは、１ラックに、６台のサーバ装置１が搭載され、このラックが、ｎ＋３（例えば、１５０）個，複数列に、並んでいる。
【００３１】
各サーバ装置１と、全サーバ装置１を制御する制御サーバ装置１−１との間は、制御ＬＡＮ（Local Area Network）９で接続されている。
【００３２】
各サーバ装置１には、装置の異常を示す発光素子（ＬＥＤ：Light Emitting Device）２を、前後に１つずつ搭載する。図２に示すように、サーバ装置２の前面には、レデイランプＲＥＤやリンクランプＬＩＮＫの他に、状態チエックランプ２−１を設ける。同様に、図３に示すように、サーバ装置２の後面には、レデイランプＲＥＤやリンクランプＬＩＮＫの他に、状態チエックランプ２−２を設ける。
【００３３】
このように、サーバ装置１の前後に、チエックランプ２−１，２−２を搭載する目的は、サーバ装置を多数台搭載したラックが、多数台設置されている場合には、操作者のサーバ装置の前後への移動が容易ではないため、サーバ装置１の前面、後面どちらからも、チエックランプ２−１，２−１の表示変化が見えることが、有効であるためである。
【００３４】
制御サーバ装置１−１は、ＬＡＮ経由で、各サーバ装置１のチエックランプ２（２−１，２−２）を点滅、点灯、点灯解除する機能を有する。
【００３５】
図４に示すように、各サーバ装置１、１−１は、４つのＣＰＵブロック１０〜１３と、これらＣＰＵブロック１０〜１３のシステム制御を行うシステム制御部１４と、前述のチエックランプ２を含むオペレータパネル（ＯＰＮＬ）やファン（ＦＡＮ）、電源（ＰＳＵ）を有する装置ブロック１６とを有する。
【００３６】
システム制御ブロック１４は、制御サーバ１−１と制御ＬＡＮ９で接続され、システム管理回路１２２を介し、各ＣＰＵブロック１０〜１３（ＣＰＵ１００）と通信する。
【００３７】
各ＣＰＵブロック１０〜１３は、ＣＰＵ（Central Processor Unit）１００と、磁気デイスク装置１１４と、磁気デイスク装置１１４とサーバー間接続用のＬＡＮ（Local Area Network）とのインターフェース回路１１２と、インタフェース回路１１２とＣＰＵ１００を接続する第１のブリッジ回路１１６とを有する。更に、隣り合うＣＰＵ１００間で、隣り合う２つのインタフェース回路１１０、１１２を使用するための第２のブリッジ回路１２０を有する。
【００３８】
図５に示すように、システム制御部１４は、制御ＬＡＮ９との接続のためのトランシーバ／レシーバ１４１と、前述の装置裏面のチエックランプ２−２の点灯、点滅制御のためのＬＥＤコントローラ１４２と、ＭＰＵ（Micro Processor Unit）１４３と、メモリ１４４と、電源やファンや、ＣＰＵブロック１０〜１３の状態監視、状態制御を行うモニター・電源制御回路１４５と、装置表面のＬＥＤ（チエックランプ）２−１と、そのＬＥＤ制御回路（図示せず）を有する。
【００３９】
メモリ１４４には、図１０で説明する装置構成テーブル１４４−１と、マスター／ローカルのフラグとを格納する。ＭＰＵ１４３は、制御ＬＡＮ９からの指示により、チエックランプ２−１，２−２の点灯制御（ＬＥＤ表示処理）を行うとともに、マスター指示により、制御サーバー装置の役目を代行する。尚、制御サーバー装置１−１も、図４及び図５の構成を有する。
【００４０】
（ＬＥＤ表示処理）
図６は、システム制御部１４のＬＥＤ処理モードの説明図、図７は、図６の自己診断モードの処理フロー図、図８は、スタンバイモードの処理フロー図である。
【００４１】
図６に示すように、システム制御部１４のＭＰＵ１４３は、サーバ装置１の自己診断時の自己診断中モードＡ（図７），サーバ装置１の稼動時のスタンバイモードＢ（図８），異常サーバ装置を特定する物理位置特定モードＣ（図９以下）に、ＬＥＤ表示処理状態を遷移する。
【００４２】
図７により、自己診断中の表示処理を説明する。
【００４３】
（Ｓ１０）ＭＰＵ１４３は、電源投入すると、チエックランプ（ＬＥＤ）２−１，２−２を、点灯する。
【００４４】
（Ｓ１２）ＭＰＵ１４３は、ＣＰＵブロック１０〜１３から自己診断開始を受けると、チエックランプ（ＬＥＤ）２−１，２−２を、点滅する。
【００４５】
（Ｓ１４）ＭＰＵ１４３は、ＣＰＵブロック１０〜１３から自己診断結果を受け、診断異常であると、チエックランプ（ＬＥＤ）２−１，２−２を、点灯する。
【００４６】
（Ｓ１６）一方、ＭＰＵ１４３は、診断異常でない（正常）である場合には、チエックランプ（ＬＥＤ）２−１，２−２を、消灯する。
【００４７】
（Ｓ１８）そして、ＭＰＵ１４３は、起動完了を認識し、アイドル中に移行する。
【００４８】
このようにして、チエックランプ２−１，２−２は、サーバ装置１の自己診断状態、結果を表示する。
【００４９】
次に、図８により、スタンバイ中の表示処理を説明する。
【００５０】
（Ｓ２０）ＭＰＵ１４３は、制御ＬＡＮ９から物理位置特定指示を受けたかを判定する。ＭＰＵ１４３は、制御ＬＡＮ９から物理位置特定指示を受けると、スタンバイモードから物理位置特定モード（図９）に状態遷移し、制御サーバ装置の指示に従う、尚、ＬＡＮ９から解除指示を受けると、物理位置特定モードからスタンバイモードに状態遷移する。
【００５１】
（Ｓ２２）ＭＰＵ１４３は、スタンバイモードであると、ＣＰＵブロック１０〜１３のソフトウェアから、ジョブ稼動中か待ち合わせ中かの状態通知を受信して、業務（ジョブ）稼働中かを判定する。
【００５２】
（Ｓ２４）ＭＰＵ１４３は、ジョブ稼働中であると、チエックランプ（ＬＥＤ）２−１，２−２を、ゆっくりした周期（長い周期）で、点灯し、ステップＳ２２に戻る。
【００５３】
（Ｓ２６）ＭＰＵ１４３は、ジョブ待ち合わせ中であると、ＣＰＵブロック１０〜１３が、故障を通知したかを判定する。故障を通知していない時は、ＭＰＵ１４３は、チエックランプ（ＬＥＤ）２−１，２−２を、消灯し、ステップＳ２２に戻る。
【００５４】
（Ｓ２８）ＭＰＵ１４３は、ＣＰＵブロック１０〜１３から故障を通知されると、チエックランプ（ＬＥＤ）２−１，２−２を、高速点滅（短周期で点滅）し、ステップＳ２２に戻る。
【００５５】
このように、チエックランプ２−１，２−２は、サーバ装置１のジョブ実行状態と、故障中か否かを表示する。
【００５６】
（異常電子機器の物理位置特定処理）
図９は、本発明の一実施の形態の物理位置特定処理のフロー図、図１０は、図９の処理シーケンスの説明図、図１１は、図５で説明したシステム制御部の構成定義テーブルの説明図、図１２は、物理位置特定のためのブロードキャストコマンドの説明図である。
【００５７】
先ず、制御ＬＡＮ９でのサーバ装置のＩＰアドレスを説明する。図１１に示すように、各ラックに搭載するサーバ装置１のＩＰ（Internet Protocol）アドレスに、ラック単位に、サブネットを割り当てる。１２８台のサーバ装置１が、搭載数８段の１６個のラックに搭載された例で説明する。サーバーの装置番号１〜１２８に、ラック番号１〜１６、搭載段数１〜８が割り当てられた場合、ＩＰアドレスの最下位桁を、段数、最下位から２〜３桁目を、ラック番号に設定する。
【００５８】
例えば、装置番号１のサーバ装置１が、ラック番号１の１段目に搭載された場合、ＩＰアドレスは、「１９２．１６８．１１．１」に設定する。ここで、最下位桁の「１」が、段数、最下位から２〜３桁目の「１１」が、ラック番号を示す。同様に、装置番号８のサーバ装置１が、ラック番号１の８段目に搭載された場合、ＩＰアドレスは、「１９２．１６８．１１．８」に設定する。
【００５９】
このように設定すると、位置特定のコマンドに、ブロードキャストコマンドを利用できる。図１２に示すように、コマンド（ここでは、ｓｅｔｌｏｃａｔｏｒ  ｂｌｉｎｋ：ＬＥＤを点滅する）に付加するＩＰアドレスを、「１９２．１６８．１１．２５５」に設定すると、図１１の関係から、ラック番号１に搭載された８台全てのＬＥＤの点滅指示を示す。
【００６０】
ＩＰアドレスを、「１９２．１６８．１２．２５５」に設定すると、図１１の関係から、ラック番号２に搭載された８台全てのＬＥＤの点滅指示を示す。即ち、最下位桁の値を、最大値「２５５」に設定し、その上位桁に、ラック番号を設定する。
【００６１】
これにより、ラック内の全サーバ装置１のＬＥＤの表示形態を変化させるときに、ブロードキャスト指示が可能となり、制御サーバから各サーバ装置１への指示が容易となる。各サーバ装置１は、装置交換が行われた場合でも、ＩＰアドレスをバックアップしておき、入れ替えに伴う再設定を行わなくても、復元できるようにする。又、制御サーバ１−１は、故障通報を出力したサーバ装置１のＩＰアドレスから、ラック内のすべてのサーバ装置１のＬＥＤの表示形態を変化する機能を有する。
【００６２】
次に、このブロードキャストコマンドを利用した物理位置特定処理を説明する。図９は、図７の装置電源投入後の自己診断処理で、故障を検出した場合のサーバ装置１の物理位置特定処理を示す。図１０を参照して、図９の処理を説明する。
【００６３】
（Ｓ３０）サーバ装置１は、制御サーバ１−１からの指示が、ＬＥＤ解除指示であるかを判定する。サーバ装置１は、ＬＥＤ解除指示であると判定すると、図６で説明したように、スタンバイモードに遷移する。
【００６４】
（Ｓ３２）図１１に示すように、あるサーバ装置１で、故障を検出すると、サーバ装置１のシステム制御部１４が、制御用ＬＡＮ９より、制御サーバ１−１に故障を通知する。制御サーバ１−１は、前述のブロードキャストコマンドを用いて、ラック全体のサーバ装置１のＬＥＤの点滅を指示する。これにより、そのラック（例えば、ラック番号１のラック）の全サーバ装置１の表裏のＬＥＤ（チエックランプ）２−１、２−２が、点滅する。そして、３０秒待つ。即ち、３０秒間点滅を繰り返す。これにより、多数のラックから、故障サーバ装置の搭載されたラックを物理的に認識できる。
【００６５】
（Ｓ３４）制御サーバ１−１は、前述のブロードキャストコマンドを用いて、ラック全体のサーバ装置１のＬＥＤ２−１，２−２の消灯を指示する。これにより、そのラック（例えば、ラック番号１のラック）の全サーバ装置１の表裏のＬＥＤ（チエックランプ）２−１，２−２が、消灯する。
【００６６】
（Ｓ３６）制御サーバ１−１は、通常のＩＰアドレス（図１１の個別のＩＰアドレス）コマンドを用いて、故障したサーバ装置１のみのＬＥＤ２−１，２−２の点滅を指示する。これにより、故障したサーバ装置１のＬＥＤ（チエックランプ）２−１，２−２が、故障でない限り、点滅する。故障したサーバ装置１が、コマンドを受け付ける場合や、ＬＥＤ２−１，２−２及び制御回路が故障していない場合には、そのＬＥＤは、点滅する。即ち、故障したサーバ装置１が、コマンドを受け付ける場合や、ＬＥＤ２−１，２−２及び制御回路が故障していない場合には、そのラック内で、故障したサーバ装置１の物理位置を特定できる。
【００６７】
（Ｓ３８）故障したサーバ装置１は、ＬＥＤ（制御回路を含む）２−１，２−２を自己診断する。そして、故障したサーバ装置１は、自己診断結果を、制御サーバ１に通知する。制御サーバ１−１は、自己診断結果が正常と判定すると、サーバ装置１は、故障サーバ装置１の物理位置が、特定されたので、ステップＳ３０に戻る。
【００６８】
（Ｓ４０）一方、サーバ装置１の自己診断結果が異常である場合には、ＬＥＤ２−１，２−２が故障している場合であり、ステップＳ３６で、そのＬＥＤ２−１，２−２は、点滅しない。従って、ステップＳ３６では、故障サーバ装置１の物理位置を特定できない。このため、制御サーバ１−１は、前述のブロードキャストコマンドを用いて、ラック全体のサーバ装置１のＬＥＤ２−１，２−２の消灯を指示する。これにより、そのラック（例えば、ラック番号１のラック）の全サーバ装置１の表裏のＬＥＤ（チエックランプ）２−１，２−２が、消灯する。
【００６９】
（Ｓ４２）制御サーバ１−１は、通常のＩＰアドレス（図１１の個別のＩＰアドレス）コマンドを用いて、故障したサーバ装置１以外のサーバ装置１のＬＥＤ２−１，２−２の点滅を指示する。これにより、故障したサーバ装置１以外のサーバ装置１のＬＥＤ（チエックランプ）２−１，２−２が、点滅する。そして、故障したサーバ装置１のＬＥＤ２−１，２−２は、消灯したままである。そして、３０秒待つ。即ち、３０秒間点滅を繰り返す。これにより、多数のラックから、故障サーバ装置の搭載されたラックを、物理的に認識できる。そして、ステップＳ３０に戻る。
【００７０】
このように、故障サーバ装置の搭載されたラックの全サーバ装置のＬＥＤを点滅し、ラック位置を特定し、次に、故障サーバ装置のＬＥＤを点滅し、ラック位置での故障サーバ装置の物理位置を特定する。このため、多数のラックが設置されていても、故障サーバ装置の物理位置を容易に特定できる。
【００７１】
又、故障サーバ装置のＬＥＤが、動作しない場合には、更に、故障サーバ装置の搭載されたラックの全サーバ装置のＬＥＤを消灯し、次に、故障サーバ装置以外のサーバ装置のＬＥＤを点滅し、ラック位置での故障サーバ装置の物理位置を特定する。
【００７２】
更に、サーバ装置のＩＰアドレスに、サブネットを設定して、ブロードキャストコマンドを用いて、消灯、点滅指示を行う。これにより、物理位置特定のコマンド処理が容易となる。
【００７３】
（物理位置特定処理の代行処理）
次に、前述の実施の形態では、サーバ装置１のいずれかが故障になった場合に、制御サーバ１−１からの指示で物理位置特定処理を実行していた。しかしながら、制御サーバ１−１も故障する可能性がある。この実施の形態では、制御サーバ１−１が故障した場合に、他のサーバ装置１が、制御サーバ１−１の物理位置特定処理を代行する。
【００７４】
図１３は、本発明の一実施の形態のサーバ装置の物理位置特定代行処理のフロー図、図１４は、図１３の処理シーケンスの説明図である。
【００７５】
（Ｓ５０）制御サーバ１−１とサーバ装置１は、定期的に、生死確認のピング応答確認を行い、制御サーバ１−１、サーバ装置１の正常、異常を確認する。
【００７６】
（Ｓ５２）サーバ装置１は、ピング応答確認で、正常から異常に変化したか、又は異常から正常に変化したか、変化しないかを判定する。サーバ装置１は、変化しないと判定すると、ステップＳ５０に戻る。
【００７７】
（Ｓ５４）制御サーバ１−１は、正常から異常に変化したと判定すると、リモートモード（制御サーバ１−１からのリモート動作モード）から、ローカルモードにモードを変更する。そして、複数のサーバ装置１の内、ラック内で正常状態であり、且つＩＰアドレスが最も若い番号のサーバ装置１が、マスター状態にモードを変更する。更に、マスターのサーバ装置１は、ラック内の他のサーバ装置１にローカルモードへの変更を指示する。
【００７８】
以降、マスターのサーバ装置が、図１４に示すように、制御サーバ１−１が、実行した図９の物理位置特定処理Ｓ３０〜Ｓ４を実行する。
【００７９】
（Ｓ５６）逆に、制御サーバ１−１は、異常から正常に変化したと判定すると、ローカルモードから、リモートモードにモードを変更する。以降、制御サーバ１−１が、図９の物理位置特定処理Ｓ３０〜Ｓ４を実行する。
【００８０】
このように、制御サーバ１−１が、異常となっても、他のサーバ装置１が、物理位置特定処理を代行できる。
【００８１】
（他の実施の形態）
前述の実施の形態では、電子機器をサーバ装置で説明したが、磁気ディスク装置等の記憶装置、通信装置にも適用できる。又、物理位置特定処理の点滅表示は、点灯表示であっても良い。
【００８２】
以上、本発明を実施の形態により説明したが、本発明の趣旨の範囲内において、本発明は、種々の変形が可能であり、本発明の範囲からこれらを排除するものではない。
【００８３】
尚、本発明は、以下の形態を含む。
【００８４】
（付記１）多数台の電子機器を搭載した多数のラックと、各前記電子機器に設けられた発光素子と、前記各電子機器を接続するネットワークと、前記ネットワークを介し前記電子機器の異常通知を受け、前記異常通知した電子機器を搭載したラックの前記電子機器の発光素子を同一の表示形態に制御した後、前記異常通知した電子機器の前記発光素子の一の表示形態を、他の電子機器の発光素子の他の表示形態と異なるように制御を行う制御用電子機器とを有することを特徴とする電子機器システム。
【００８５】
（付記２）前記制御用電子機器は、更に、前記異常通知した電子機器の前記発光素子が故障であることに応じて、前記他の電子機器の発光素子を点灯する制御を行うことを特徴とする付記１の電子機器システム。
【００８６】
（付記３）前記制御用電子機器は、前記電子機器と前記ネットワークを介し、異常／正常の確認通信を行い、前記制御用電子機器が異常であることに応じて、他の前記電子機器が、前記制御用電子機器の前記電子機器の発光素子の表示制御を代行することを特徴とする付記１の電子機器システム。
【００８７】
（付記４）前記制御用電子機器は、前記ラック番号を持つＩＰアドレスを用いたブロードキャストコマンドにより、前記異常通知した電子機器を搭載したラックの前記電子機器の発光素子を同一の表示形態に制御することを特徴とする付記１の電子機器システム。
【００８８】
（付記５）前記電子機器の表面と裏面とに前記発光素子を設けたことを特徴とする付記１の電子機器システム。
【００８９】
（付記６）前記異常通知した電子機器を搭載したラックの前記電子機器の発光素子を同一の表示形態が、前記発光素子の点滅であることを特徴とする付記１の電子機器システム。
【００９０】
（付記７）前記電子機器は、前記電子機器の稼動状態に応じて、前記発光素子の点滅のリズムを変更することを特徴とする付記１の電子機器システム。
【００９１】
（付記８）前記電子機器が、サーバ装置からなることを特徴とする付記１の電子機器システム。
【００９２】
（付記９）多数台のラックの各々に搭載された多数台の電子機器を接続したネットワークを介し、前記電子機器の異常通知を受け、前記異常通知した電子機器を搭載したラックの全前記電子機器の発光素子を同一の表示形態に制御するステップと、前記異常通知した電子機器の前記発光素子の一の表示形態を、他の電子機器の発光素子の他の表示形態と異なるように制御するステップとを有することを特徴とする電子機器の物理位置特定処理方法。
【００９３】
（付記１０）更に、前記異常通知した電子機器の前記発光素子が故障であることに応じて、前記他の電子機器の発光素子を点灯する制御するステップを有することを特徴とする付記９の電子機器の物理位置特定処理方法システム。
【００９４】
（付記１１）前記電子機器間で、前記ネットワークを介し、異常／正常の確認通信を行い、前記一の電子機器が異常であることに応じて、他の前記電子機器が、前記一の電子機器の前記電子機器の発光素子の表示制御を代行するステップを更に有することを特徴とする付記９の電子機器の物理位置特定処理方法。
【００９５】
（付記１２）前記同一の表示形態に制御するステップは、前記ラック番号を持つＩＰアドレスを用いたブロードキャストコマンドにより、前記異常通知した電子機器を搭載したラックの前記電子機器の発光素子を同一の表示形態に制御するステップを有することを特徴とする付記９の電子機器の物理位置特定処理方法。
【００９６】
（付記１３）前記電子機器の表面と裏面とに前記発光素子を前記表示制御するステップを有することを特徴とする付記９の電子機器の物理位置特定処理方法。
【００９７】
（付記１４）前記同一の表示形態に制御するステップは、前記電子機器の発光素子を点滅するステップを有することを特徴とする付記９の電子機器の物理位置特定処理方法。
【００９８】
（付記１５）前記電子機器の稼動状態に応じて、前記発光素子の点滅のリズムを変更するステップを更に有することを特徴とする付記９の電子機器の物理位置特定処理方法。
【００９９】
（付記１６）前記電子機器が、サーバ装置からなることを特徴とする付記９の電子機器の物理位置特定処理方法。
【産業上の利用可能性】
【０１００】
異常通知した電子機器を搭載する１のラックの全電子機器の発光素子を同一表示形態に表示制御し、多数のラックから１のラック位置を特定し、且つ１のラックにおいて異常通報した電子機器の発光素子を他の電子機器の発光素子の表示形態と変更するため、異常通報した電子機器の物理位置を容易に特定できる。又、異常通知した電子機器を搭載した１のラックのラック番号を持つＩＰアドレスを用いたブロードキャストコマンドを、前記ネットワークに送信するので、アドレス生成を容易にし且つネットワークの負荷を少なくして、異常通知したラックを表示により認識できる。更に、異常通知した電子機器のアドレスを含む第２のコマンドを発行するので、アドレス生成を容易にし且つネットワークの負荷を少なくし、当該ラック内で異常通報した電子機器の発光素子を他の電子機器の発光素子の表示形態と変更できる。
【図面の簡単な説明】
【０１０１】
【図１】本発明の一実施の形態の電子機器システムの構成図である。
【図２】図１の電子機器の正面図である。
【図３】図１の電子機器の裏面図である。
【図４】図２の電子機器の構成図である。
【図５】図４のシステム制御部の構成図である。
【図６】本発明の一実施の形態の状態モードの遷移図である。
【図７】図６の自己診断モードの処理フロー図である。
【図８】図６のスタンバイモードの処理フロー図である。
【図９】図６の物理位置特定処理フロー図である。
【図１０】図９の物理位置特定処理のシーケンス図である。
【図１１】図１０のサーバ装置のＩＰアドレスの説明図である。
【図１２】図１１のＩＰアドレスを用いたブロードキャストコマンドの説明図である。
【図１３】本発明の一実施の形態の物理位置特定処理の代行処理フロー図である。
【図１４】図１３の物理位置特定代行処理のシーケンス図である。
【図１５】従来の物理位置特定処理の説明図である。
【符号の説明】
【０１０２】
１  サーバ装置（電子機器）
１―１  制御サーバ
２−１，２−２  状態表示素子（ＬＥＤ）
９  制御ＬＡＮ
１０〜１３  ＣＰＵブロック
１４  システム制御部
【図１】
0005115272.tif 000002
【図２】
0005115272.tif 000003
【図３】
0005115272.tif 000004
【図４】
0005115272.tif 000005
【図５】
0005115272.tif 000006
【図６】
0005115272.tif 000007
【図７】
0005115272.tif 000008
【図８】
0005115272.tif 000009
【図９】
0005115272.tif 000010
【図１０】
0005115272.tif 000011
【図１１】
0005115272.tif 000012
【図１２】
0005115272.tif 000013
【図１３】
0005115272.tif 000014
【図１４】
0005115272.tif 000015
【図１５】
0005115272.tif 000016